(57)【特許請求の範囲】
【請求項１】
用紙上に画像を形成する画像形成手段と、
この画像形成手段へ用紙を供給する複数の用紙供給手段と、
前記画像形成手段へ用紙を供給する用紙供給手段から用紙がなくなった場合、同一サイズの用紙を積載する他の用紙供給手段へ切り替えて用紙供給を継続する用紙カセットチェンジ機能を、複数の用紙カセットのそれぞれについて禁止するか許可するかを示すデータを記憶する記憶手段と、
用紙カセットチェンジ機能を行なうか否かを自動的に判断する自動判断モードが設定されていない場合に、前記画像形成手段へ用紙を供給する用紙供給手段から用紙がなくなった場合、前記記憶手段が記憶する前記複数の用紙カセットのそれぞれについて禁止するか許可するかを示すデータに基づいて前記用紙カセットチェンジ機能を行なうか否かを判断し、行なうと判断した場合、同一サイズの用紙を積載する他の用紙供給手段へ切り替えて用紙供給を継続するべく制御し、前記自動判断モードが設定されている場合に、画像形成のための仕様である、両面コピーか、ページ連写コピーか、２ｉｎ１コピーか、ソータ用コピーか、表紙モードコピーか、シート挿入コピーかの内の少なくとも一つの仕様が選択された場合、前記用紙カセットチェンジ機能をオフすると判断する制御手段を具備することを特徴とする画像形成装置。
【請求項２】
画像形成手段へ用紙を供給する複数の用紙供給手段の用紙がなくなった場合、同一サイズの用紙を積載する他の用紙供給手段へ切り替えて用紙供給を継続する用紙カセットチェンジ機能を有し、
前記画像形成手段へ用紙を供給する用紙供給手段から用紙がなくなった場合、同一サイズの用紙を積載する他の用紙供給手段へ切り替えて用紙供給を継続する用紙カセットチェンジ機能を、複数の用紙カセットのそれぞれについて禁止するか許可するかを示すデータを記憶領域に予め記憶しておき、
用紙カセットチェンジ機能を行なうか否かを自動的に判断する自動判断モードが設定されていない場合に、前記画像形成手段へ用紙を供給する用紙供給手段から用紙がなくなった場合、前記記憶領域に記憶されている前記複数の用紙カセットのそれぞれについて禁止するか許可するかを示すデータに基づいて前記用紙カセットチェンジ機能を行なうか否かを判断し、行なうと判断した場合、同一サイズの用紙を積載する他の用紙供給手段へ切り替えて用紙供給を継続し、前記自動判断モードが設定されている場合に、画像形成のための仕様である、両面コピーか、ページ連写コピーか、２ｉｎ１コピーか、ソータ用コピーか、表紙モードコピーか、シート挿入コピーかの内の少なくとも一つの仕様が選択された場合、前記用紙カセットチェンジ機能をオフすることを特徴とする画像形成方法。
【発明の詳細な説明】
【技術分野】
【０００１】
この発明は、たとえば複数の給紙カセット段が設けられ、複写動作中に用紙がなくなった際に同サイズの用紙を収納している他の給紙カセット段に自動的に切り替えて複写動作を継続するオートカセットチェンジ機能を有する電子複写機等の画像形成装置と画像形成方法に関する。
【背景技術】
【０００２】
デジタル複写機等の画像形成装置は、原稿を光学的手段（スキャナ）で読取った後、画像を電気信号に変換してさまざまな画像処理を施し、メモリ上へ画像データを蓄積したり加工したり、それをレーザ電子写真プロセス（プリンタ）を用いて再び用紙（被画像形成媒体）に画像を形成（コピー）する。
【０００３】
従来、コピー中に給紙カセット段の用紙が無くなった際、同サイズの他のカセット段に自動的に切り替えてコピーを継続する機能としてオートカセットチェンジという機能がある。このオートカセットチェンジ機能の有無を切り替えることのできる調整コードがあり、サービスマンによって設定することができる。
【０００４】
しかしながら、オートカセットチェンジ機能の有無は、サービスマンによる調整コードの設定でしか切り替えることができず、ユーザによる設定や、メニューによる設定はなかった。
【０００５】
また、手差しからのオートカットチェンジのみを禁止するというような、各段毎のオートカセットチェンジ機能の有無切り替えもできなかった。特に手差しは、厚紙や色紙などの特殊紙を使用することが多く、コピー中に用紙切れになってオートカセットチェンジ機能が働き、カセットが切り替わってしまうと異なった用紙にコピーを続けてしまい、ミスコピーをとってしまうことになる。
【発明の概要】
【発明が解決しようとする課題】
【０００６】
上記したように、コピー中に給紙カセット段の用紙が無くなった際、同サイズの他の給紙カセット段に自動的に切り替えてコピーを継続するオートカセットチェンジ機能において、このオートカセットチェンジ機能の有無はサービスマンによる調整コードの設定のみで、給紙カセット段毎のオートカセットチェンジ機能の有無を設定することができず、また、ユーザによる設定やメニューによる設定もできず、例えば、手差しは、厚紙や色紙などの特殊紙を使用することが多く、コピー中に用紙切れとなってオートカセットチェンジ機能が働き、給紙カセット段が切り替わってしまうと異なった用紙にコピーを続けてしまい、ミスコピーをとってしまうというようにオートカセットチェンジ機能を効果的に用いることができないという問題があった。
【０００７】
そこで、この発明は、給紙カセット段毎のオートカセットチェンジ機能の有無を設定することができ、ユーザによるオートカセットチェンジ機能の有無の選択も可能としてオートカセットチェンジ機能を効果的に用いることのできる画像形成装置と画像形成方法を提供することを目的とする。
【課題を解決するための手段】
【０００８】
この発明は、
用紙上に画像を形成する画像形成手段と、
この画像形成手段へ用紙を供給する複数の用紙供給手段と、
前記画像形成手段へ用紙を供給する用紙供給手段から用紙がなくなった場合、同一サイズの用紙を積載する他の用紙供給手段へ切り替えて用紙供給を継続する用紙カセットチェンジ機能を、複数の用紙カセットのそれぞれについて禁止するか許可するかを示すデータを記憶する記憶手段と、
用紙カセットチェンジ機能を行なうか否かを自動的に判断する自動判断モードが設定されていない場合に、前記画像形成手段へ用紙を供給する用紙供給手段から用紙がなくなった場合、前記記憶手段が記憶する前記複数の用紙カセットのそれぞれについて禁止するか許可するかを示すデータに基づいて前記用紙カセットチェンジ機能を行なうか否かを判断し、行なうと判断した場合、同一サイズの用紙を積載する他の用紙供給手段へ切り替えて用紙供給を継続するべく制御し、前記自動判断モードが設定されている場合に、画像形成のための仕様である、両面コピーか、ページ連写コピーか、２ｉｎ１コピーか、ソータ用コピーか、表紙モードコピーか、シート挿入コピーかの内の少なくとも一つの仕様が選択された場合、前記用紙カセットチェンジ機能をオフすると判断する制御手段を具備することを特徴とする画像形成装置である。
【発明の効果】
【０００９】
以上詳述したようにこの発明によれば、給紙カセット段毎のオートカセットチェンジ機能の有無を設定することができ、ユーザによるオートカセットチェンジ機能の有無の選択も可能としてオートカセットチェンジ機能を効果的に用いることのできる画像形成装置を提供することができる。
【図面の簡単な説明】
【００１０】
【図１】この発明の画像形成装置に係るデジタル複写機の断面図。
【図２】デジタル複写機の制御系の構成を示すブロック図。
【図３】コントロールパネルの構成を示す図。
【図４】手差しガイドへ用紙をセットする際のオートカセットチェンジ機能有無の選択動作を説明するための図。
【図５】オートカセットチェンジ機構の調整モードを示す図。
【図６】電子複写機のコピー動作を説明するためのフローチャート。
【図７】電子複写機のコピー動作を説明するためのフローチャート。
【発明を実施するための形態】
【００１１】
以下、この発明の一実施の形態について図面を参照して説明する。図１は、この発明に係る画像形成装置としてのデジタル複写機の全体構成を概略的に示すものである。このデジタル複写機１はスキャナ２及びプリンタ（レーザエンジン）３を備え、上部に自動原稿送り装置（ＡＤＦ）４を装着している。
【００１２】
自動原稿送り装置４は、筐体としてのカバー本体２１の後端縁部が、装置本体の上面後端縁部に図示しないヒンジ装置を介して開閉自在に取付けられており、必要に応じて自動原稿送り装置４全体を回動変位させて原稿台５上を開放し得る構成となっている。カバー本体２１の上面やや右方向部位には、複数枚の原稿を一括保持し得る原稿給紙台２２が設けられている。装置の一端側には、原稿を順次一枚ずつ取出し原稿台５の一端側（図中左端側）に供給する給送手段２３が設けられている。給送手段２３は、原稿を取出すためのピックアップローラ２７、原稿をピックアップローラ２７に押付けるウエイト板２８、原稿給紙台２２への原稿のセット状態を検知する原稿検知センサとしてのエンプティセンサ２９等が配設されている。さらに、ピックアップローラ２７の原稿取出し方向には、給紙ローラ３２が配置され、確実に原稿が一枚ずつ給送されるようになっている。原稿台５の上面には、これを覆う原稿搬送ベルト３７が張設されている。原稿搬送ベルト３７は、一対のベルトローラ４０、４０に掛渡された外表面が白色の幅広無端ベルトからなり、ベルト駆動機構（図示しない）によって正逆両方向に走行し得る構成となっている。また、原稿搬送ベルト３７の内周部の裏面側には、ベルト面を原稿台５上に押さえ付けるための複数のベルト押えローラ４１…および自動原稿送り装置の開閉状態を検知するセットスイッチ（図示せず）が設けられている。そして、前記給送手段２３によって給送された原稿を、原稿台５の一端側（左端側）から他端側（右端側）に搬送する。装置の右側部位に排紙手段３８が設けられ、排紙手段３８は、搬送ローラ４４と、この搬送ローラ４４に原稿を押付けるピンチローラ４５と、排紙方向に送られる原稿の後端を検出する原稿検出手段としての排紙センサ４６等が設けられている。原稿排出路の下流側には、排紙ローラ４８が配設されている。また、原稿排出路には、原稿を表裏逆にして原稿台５に導くためにゲート４９が設けられ、原稿を両面複写可能としている。
【００１３】
読取手段としてのスキャナ２は、光源としての露光ランプ６、ミラー１５を設置した第１キャリッジ７、光路を折曲げるミラー８ａ，８ｂを設置した第２キャリッジ９、レンズ１０、反射光を受光するＣＣＤセンサ１１、これらを各部の位置を変更する駆動系（図示しない）、およびＣＣＤセンサ１１の出力つまり画像データ（情報）をアナログデータからデジタルデータに変換するＡ／Ｄ変換部（図示せず）により構成されている。上記第１、第２キャリッジ７、９は、互いにタイミングベルト（図示しない）で結ばれており、第２キャリッジ９は第１キャリッジ７の１／２の速さで同じ方向に移動するようになっている。これにより、レンズ１０までの光路長が一定になるように走査できるようになっている。上記レンズ１０は、焦点距離固定で、変倍時に光軸方向へ移動されるようになっている。ＣＣＤセンサ１１は、原稿の１画素がＣＣＤセンサの１つの素子に対応している。ＣＣＤセンサ１１の出力はＡ／Ｄ変換部へ出力されるようになっている。第１、第２キャリッジ７、９、ミラー１２ａ、１２ｂの移動は、それぞれステッピングモータ（図示しない）により行われるようになっている。上記第１、第２キャリッジ７、９は、上記ステッピングモータの回転軸に連結されたドライブプーリ（図示しない）とアイドルプーリ（図示しない）間に掛渡されたタイミングベルト（図示しない）の動作に応じて移動されるようになっている。上記レンズ１０は、対応するステッピングモータ（図示しない）によりスパイラルシャフト（図示しない）が回転し、このスパイラルの動きによって光軸方向へ移動されるようになっている。
【００１４】
６０はレーザダイオードで、このレーザダイオード６０に対応してコリメートレンズ６２、ポリゴンミラー（多面反射鏡）６４、レンズ６６、反射鏡６８，７０、レンズ７２が配置され、露光装置５２からレーザ光を感光体ドラム５０に照射するようになっている。
【００１５】
画像形成手段としてのプリンタ３は、たとえばレーザ光学系と転写紙に画像形成が可能な電子写真方式を組み合せている。すなわち、プリンタ３は、装置内のほぼ中央部に回転自在に軸支された像担持体としての感光体ドラム５０を有し、この感光体ドラム５０の周囲には、露光装置５２、現像装置５４、転写チャージャ５５、剥離チャージャ５６、クリーニング前除電チャージャ５７、クリーナ５８、除電ランプ５９、及び帯電チャージャ６１が順に配置されている。感光体ドラム５０は、帯電チャージャ６１によって一様に帯電されるようになっているとともに、スキャナ２からレーザ光を出力して前記感光体ドラム５０上に原稿の画像を結像し、静電潜像が形成されるようになっている。
【００１６】
そして、前記感光体ドラム５０上に形成された静電潜像は、現像装置５４により現像され、後述する給紙手段としての給紙カセット３０から給紙ローラ２０、アライニングローラ２５を介して送紙されるコピー用紙（被画像形成媒体）Ｐ上に現像画像を転写チャージャ５５により転写される。この転写チャージャ５５による転写後のコピー用紙Ｐは、剥離チャージャ５６のＡＣコロナ放電により剥離されて、搬送ベルトを介して定着器７１に搬送され、この定着器７１によって現像画像が溶融定着されたコピー用紙Ｐは、排紙ロ−ラ対７３により排紙トレイ７４ａを有するユニット７４に排出される。ユニット７４は排紙ローラ対７３から排出されるコピー用紙Ｐをフェイスダウンするローラ対７４ｂを有し、さらユニット７４の上部にステープルソートモードの際に１部毎にステープルするステープラ７４ｃを有している。
【００１７】
一方、前記コピー用紙Ｐへの現像画像の転写・剥離後の感光体ドラム５０上に残留した現像剤は、クリーニング前除電チャージャ５７で予め除電された後、クリーナ５８により清掃され、除電ランプ５９により感光体ドラム５０上の電位が一定のレベル以下にされ、次のコピー動作を可能にしている。
【００１８】
なお、コピー用紙Ｐの両面に印刷する両面コピーの場合には、前述した定着器７１によって現像画像が溶融定着されたコピー用紙Ｐは搬送路７５ａを介して搬送された後、トレイ７５ｂに蓄積される。このトレイ７５ｂに蓄積された片面印刷済みの用紙Ｐは搬送路７５ｃを介して前述した転写チャ−ジャ５５に搬送され、印刷されていない他方の面に現像画像が転写される。また、トレイ７５ｂの下部には、光反射型の紙センサ７５ｄが設けられ、トレイ７５ｂ上にスタックされる用紙の有無が検知される。
【００１９】
また、搬送路７５ａ、トレイ７５ｂ、搬送路７５ｃ、及び紙センサ７５ｄとから自動両面反転機構としての自動両面装置（ＡＤＤ）７５が構成されている。また、多段給紙装置（ＰＦＣ）９０は、前記装置本体１のフロント側より着脱自在に上中下段に装着された給紙手段としての給紙カセット３０，…を有している。この給紙カセット３０は、コピー用紙Ｐが収納された筐体であるカセットケース３１からなり、このカセットケース３１の取出し端部は、用紙取出し方向に向け傾斜させてなる構成を有する。そして、前記給紙カセット３０のカセットケース３１内に収納されたコピー用紙Ｐは、ピックアップローラ８１にて最上層からピックアップされて取り出されるようになっている。このピックアップローラ８１にて取り出されて前記カセットケース３１の取出し端部側に送り込まれたコピー用紙Ｐは、前記カセットケース３１の取出し端部の内側上方に設置された給紙ローラ８４と分離ローラ（または分離パッド）８５とからなる用紙分離部にて一枚ずつ分離されて、プリンタ３に向け搬送されるようになっているものである。
【００２０】
また、他の給紙手段として装置本体の右サイド側には、手差しコピーを行うための手差し用給紙手段としての手差しガイド４２、着脱自在に装着された給紙カセット４３、及び大容量給紙装置（ＬＣＣ）４７とが設けられている。給紙カセット４３に収納されたコピー用紙Ｐは、ピックアップローラ４３ａにて最上層からピックアップされて取り出されるようになっている。このピックアップローラ４３ａにて取り出されて給紙カセット４３の取出し端部側に送り込まれたコピー用紙Ｐは、給紙カセット４３の取出し端部の内側上方に設置された給紙ローラ４３ｂと分離ローラ４３ｃとからなる用紙分離部にて一枚ずつ分離されて、プリンタ３に向け搬送されるようになっている。ＬＣＣ４７に収納されたコピー用紙Ｐは、ピックアップローラ４７ａにて最上層からピックアップされて取り出されるようになっている。このピックアップローラ４７ａにて取り出されてＬＣＣ４７の取出し端部側に送り込まれたコピー用紙Ｐは、ＬＣＣ４７の取出し端部の内側上方に設置された給紙ローラ４７ｂと分離ローラ４７ｃとからなる用紙分離部にて一枚ずつ分離されて、プリンタ３に向け搬送されるようになっている。
【００２１】
図２は、デジタル複写機１の制御系の構成を示すものである。すなわち、電子複写機１の全体を制御するメインＣＰＵ１００には、ＲＯＭ１０２、ＲＡＭ１０４、画像メモリ１０６、内部インタフェース１０８、外部インタフェース１１０とが接続されている。
【００２２】
詳しくは後述するが記憶手段としてのＲＡＭ１０４内において、不揮発部１０４ａにはコードデータ、揮発部１０４ｂにはオートカセットチェンジ機能有無のデータが記憶される。
【００２３】
内部インタフェース１２２にはコントロールパネル１２０が接続され、外部インタフェース１１０にはユニット７４が接続されている。コントロールネル１２０にはメッセージ表示部１２１、テンキー１２２、イエス（ＹＥＳ）キー１２３、ノー（ＮＯ）キー１２４、スタートキー１２５等が配置されている。
【００２４】
また、メインＣＰＵ１００には、多段給紙ＣＰＵ２００、エンジンＣＰＵ３００、及び検知器４２ａとが接続されている。多段給紙ＣＰＵ２００は、多段給紙装置（ＰＦＣ）９０を制御するものである。エンジンＣＰＵ３００は、スキャナ２とプリンタ３とを制御するものである。検知器４２ａは、手差しガイド４２から手差しで用紙が挿入されたことを検知する手差し用紙検知手段である。
【００２５】
オートカセットチェンジを行う際は、メインＣＰＵ１００から切り替えるカセット段の情報を多段給紙ＣＰＵ２００へ送信し、多段給紙装置９０で給紙するカセット段を切り替える処理が行われる。
【００２６】
図３は、入力手段としてのコントロールパネル１２０の構成を示すものである。すなわち、コントロールパネル１２０は、上記したメッセージ表示部１２１、テンキー１２２、イエス（ＹＥＳ）キー１２３、ノー（ＮＯ）キー１２４、スタートキー１２５の他に、フィニッシャーキー１３０、クリップ受け１３１、表示パネル１３２、ＨＥＬＰキー１３３、操作ガイドキー１３４、予熱キー１３５、コピー枚数表示器１３６、割り込みキー１３７、ズーム／１００％キー１３８、原稿サイズキー１３９、用紙サイズキー１４０、自動用紙選択キー１４１、自動倍率選択キー１４２、オールクリアキー１４３、クリア／ストップキー１４４、自動濃度キー１４５、マニュアル濃度キー１４６、カセット選択キー１４７、両面キー１４８、とじしろキー１４９、及びソータキー１５０とから構成されている。
【００２７】
表示手段としてのメッセージ表示部１２１は、デジタル複写機１の状態、操作手順およびユーザに対する各種の指示を文字と絵で表示する。テンキー１２２は、コピーしたい枚数をセットするときに使用する。コピー枚数は１〜９９９枚までセットできる。
【００２８】
指示手段としてのイエス（ＹＥＳ）キー１２３またはノー（ＮＯ）キー１２４の押下によって、各種機能の有無選択が行われる。例えば、メッセージ表示部１２１に「＊＊＊カラノ オートカセットチェンジヲ シマスカ？」のメッセージが表示された後、イエスキー１２３、ノーキー１２４を押すことにより機能の有無の選択が行われる。
【００２９】
スタートキー１２５は、コピーを開始するときに押す。フィニッシャーキー１３０は、ソートモード、グループモード、ステイプルモードを選ぶときに使用する。クリップ受け１３１は、コピーする原稿からはずしたクリップを置くために、マグネットがついている。表示パネル１３２は、各種の絵文字が点滅・表示され、複写機の状態を表わす。
【００３０】
ＨＥＬＰキー１３３は、操作ガイドキーとして押下されると、操作手順を示すメッセージが表示され、機能設定後に押すと設定内容を確認することができる。予熱キー１３５は、このキーを押すと、予熱（節電）状態に入りすべての表示ランプが消える。再びコピーをとるときはもう一度このキーを押す。
【００３１】
コピー枚数表示器１３６は、テンキー１２２でセットしたコピー枚数を表示する。割り込みキー１３７は、連続コピーの途中で、割り込みコピーをとりたいときに使用する。ズーム／１００％キー１３８は、「５０％」キーを押すと、コピー倍率は１％きざみで５０％まで小さくなる。「２００％」キーを押すと、コピー倍率は１％きざみで２００％まで大きくなる。「１００％」キーを押すと等倍（１００％）に戻る。
【００３２】
原稿サイズキー１３９は、原稿サイズをセットするときに使用する。用紙サイズを選択して原稿サイズを指定すると、コピー倍率が自動的にセットされる。用紙サイズキー１４０は、用紙サイズを選択するときに使用する。
【００３３】
自動用紙選択キー１４１は、通常自動用紙選択モードになっている。原稿台（ガラス）５上にセットした原稿のサイズを自動的に検出し、それと同じサイズの用紙を自動的に選択する（等倍コピーのみ）。
【００３４】
自動倍率選択キー１４２は、このキーを押して自動倍率選択モードを選び希望する用紙サイズを指定すると、原稿台（ガラス）５上にセットした原稿のサイズを検出し、自動的にコピー倍率を計算する。
【００３５】
オールクリアキー１４３は、このキーを押すと、選択したモードがすべてクリアされ、標準状態に戻る。クリア／ストップキー１４４は、コピー枚数を訂正するとき、またはコピー動作を停止させるときに使用する。
【００３６】
自動濃度キー１４５は、自動濃度を選択すると、デジタル複写機１が自動的に原稿の濃淡を検出して最適コピー濃度を選択する。マニュアル濃度キー１４６は、マニュアル濃度では希望するコピー濃度を選ぶことができる。「うすく」キーを押して濃度を５段階でうすくでき、「こく」キーを押して５段階でこくできる。
【００３７】
カセット選択キー１４７は、選択されているカセットが希望のサイズでないとき、このキーを押して別のカセットを選ぶことができる。両面キー１４８は、片側原稿から両面コピー、両面原稿から両面コピー、両面原稿から片面コピー、ブック原稿から両面コピーをとるときに使用する。
【００３８】
とじしろキー１４９は、コピーにとじしろを付けたいときに使用する。ソータキー１５０は、ソートモード、グループモード、ステイプルモードを選ぶときに使用する。
【００３９】
図４は、手差しガイド４２へ用紙をセットする際のコントロールパネル１２０上のメッセージ表示部１２１の表示例を示したものである。図４の（ａ）はメッセージ表示部１２１のコピー待機状態の表示を示し、「コピーデキマス」とメッセージが表示されている。ここで、手差しガイド４２に用紙がセットされた際、検知器（手差し用紙検知手段）４２ａを介してこの用紙を検知したメインＣＰＵ１００は、図４の（ｂ）に示すようにメッセージ表示部１２１に「テザシカラ オートカセットチェンジヲ シマスカ？」のメッセージを表示する。
【００４０】
ここで、イエスキー１２３、ノーキー１２４で押下選択することにより、ユーザが手差しからのオートカセットチェンジ機能の有無を選択できる。イエスキー１２３が選択押下された場合はオートカセットチェンジ機能が行われ、ノーキー１２４が選択押下された場合は、オートカセットチェンジ機能が行われない。
【００４１】
このようにイエスキー１２３またはノーキー１２４が押下された際、メインＣＰＵ１００は、図４の（ｃ）に示すようにメッセージ表示部１２１に「コピーデキマス」のメッセージを表示する。イエスキー１２３、ノーキー１２４の受付情報は、ＲＡＭ１０４内の揮発部１０４ｂに給紙段毎のオートカセットチェンジ機能有無として記憶される。
【００４２】
例えば、メインＣＰＵ１００は、上記選択のあとコピー動作を実行し、コピー動作実行中に紙無しとなった場合、ＲＡＭ１０４内の揮発部１０４ｂに記憶されたイエスキー１２３またはノーキー１２４の受付情報により、イエスキー１２３の受付情報、すなわちオートカセットチェンジ機能有りであれば同じ用紙サイズが収納されている給紙カセット段からの給紙に切り替え、ノーキー１２４の受付情報、すなわちオートカセットチェンジ機能無しであればメッセージ表示部１２１に用紙切れのメッセージを表示する。
【００４３】
図５は、自動給紙制御手段としてのオートカセットチェンジ機構の調整モードを示すものである。すなわち、図に示す調整コードをサービスマンが、設定手段としてのコントロールパネル１２０から直接データ設定することにより、上記のユーザによるメッセージからのオートカセットチェンジ機能有無の選択と同様のことを行うことができる。このサービスマンによるオートカセットチェンジ機能の禁止、許可は、サービスマンがコントロールパネル１２０から調整モードにして調整コードを入力することにより、ＲＡＭ１０４の不揮発部１０４ａに設定記憶される。この調整モードは、図５に示すように手差しに限らず全給紙段に対しても同様に行えるもので、コード１５１から１５６に手差しと同様に設定状態が記憶される。
【００４４】
調整コードにおけるコード１５０では、手差しから及び手差しへのオートカセットチェンジ機能許可、禁止が設定記憶される。設定値が「０」の場合に許可とし、設定値が「１」の場合に禁止とされる。
【００４５】
コード１５１でＬＣＣ４７から及びＬＣＣ４７へのオートカセットチェンジ機能許可、禁止が設定記憶され、コード１５２で本体上段の給紙カセット４３から及び本体上段の給紙カセット４３へのオートカセットチェンジ機能許可、禁止が設定記憶され、コード１５４で多段給紙装置（ＰＦＣ）９０上段の給紙カセット３０から及びＰＦＣ９０上段の給紙カセット３０へのオートカセットチェンジ機能許可、禁止が設定記憶され、コード１５５でＰＦＣ９０中段の給紙カセット３０から及びＰＦＣ９０中段の給紙カセット３０へのオートカセットチェンジ機能許可、禁止が設定記憶され、コード１５６でＰＦＣ９０下段の給紙カセット３０から及びＰＦＣ９０下段の給紙カセット３０へのオートカセットチェンジ機能許可、禁止が設定記憶される。
【００４６】
なお、コード１５３は、本体下段に給紙カセットが設けられた場合に用いるものであるが、図１で示した電子複写機１においては設けられていないので省略する。
【００４７】
また、図４で示したメッセージ表示部１２１に表示されるメッセージからのオートカセットチェンジ機能有無の選択無し、選択有りも調整コード１４９で設定記憶される。例えば、コード１４９のデータが「０」ならば、「選択無し」であるので手差しガイド４２に用紙をセットしても、図４の（ｂ）に示した「テザシカラ オートカセットチェンジヲ シマスカ？」のメッセージは表示されない。
【００４８】
さらに、コード２１はオートカセットチェンジ機能の禁止「０」、許可「１」が設定記憶され、コード１４８はオートカセットチェンジ機能有無自動判断無し「０」、自動判断有り「１」が設定記憶される。
【００４９】
次に、このような構成において電子複写機１のコピー動作を図６、図７のフローチャートを参照して説明する。コントロールパネル１２０から各種設定が操作されてコピー開始のスタートキー１２５が押された後、まず、メインＣＰＵ１００は、オートカセットチェンジ機能有無自動判断モードか否かをＲＡＭ１０４の不揮発部１０４ａにおけるコード１４８の値により判断する（ＳＴ１）。
【００５０】
自動判断モードであれば（調整コード１４８＝１）、メインＣＰＵ１００は、両面コピーか（ＳＴ２）、ページ連写コピーか（ＳＴ３）、２in１コピーか（ＳＴ４）、ソータ使用コピーか（ＳＴ５）、表紙モードコピーか（ＳＴ６）、シート挿入モードコピーか（ＳＴ７）をチェックし、上記モードであればオートカセットチェンジ機能禁止フラグをＲＡＭ１０４内の揮発部１０４ｂにセットする（ＳＴ８）。メインＣＰＵ１００は、この禁止フラグがセットされていた場合、用紙切れが発生しても給紙段の切り替えを行わず、用紙補給を促すメッセージをメッセージ表示部１２１に表示して装置本体を停止し、この禁止フラグがリセットされている場合、用紙サイズの同じ給紙段を探し、存在する場合にそのカセット段を次の給紙段とする。
【００５１】
上記モード時は、オートカセットチェンジ機能により用紙の種類が変化してしまった場合に明らかに不具合があると考えられるが、この考えに基づいてオートカセットチェンジ機能有無自動判断の調整モード（コード１４８）を設けた。
【００５２】
なお、オートカセットチェンジ機能禁止フラグが、セットされた場合はデータ値が「１」となり、リセットされた場合はデータ値が「０」となる。また、ステップＳＴ１において自動判断モードでなければ（調整コード１４８＝０）、その他の調整コードによるオートカセットチェンジ機能有無を調べる処理を行う（ＳＴ９）。
【００５３】
ここでステップＳＴ９の動作を図７のフローチャートを参照して説明する。まず、メインＣＰＵ１００は、ＲＡＭ１０４内の不揮発部１０４ａに記憶されているコード２１に設定されている値から全段オートカセットチェンジ許可か禁止かを判断し（ＳＴ２１）、許可の場合にコード１５１に設定されている値から本体ＬＣＣ４７のみオートカセットチェンジ禁止か否かを判断し（ＳＴ２２）、禁止の場合にステップＳＴ２８へ移行する。
【００５４】
ステップＳＴ２２で許可の場合にコード１５２に設定されている値から本体上段の給紙カセット４３のみオートカセットチェンジ禁止か否かを判断し（ＳＴ２３）、禁止の場合にステップＳＴ２８へ移行する。
【００５５】
ステップＳＴ２３で許可の場合にコード１５４に設定されている値からＰＦＣ（ペデスタル）９０上段の給紙カセット３０のみオートカセットチェンジ禁止か否かを判断し（ＳＴ２４）、禁止の場合にステップＳＴ２８へ移行する。
【００５６】
ステップＳＴ２４で許可の場合にコード１５５に設定されている値からＰＦＣ（ペデスタル）９０中段の給紙カセット３０のみオートカセットチェンジ禁止か否かを判断し（ＳＴ２５）、禁止の場合にステップＳＴ２８へ移行する。
【００５７】
ステップＳＴ２５で許可の場合にコード１５６に設定されている値からＰＦＣ（ペデスタル）９０下段の給紙カセット３０のみオートカセットチェンジ禁止か否かを判断し（ＳＴ２６）、禁止の場合にステップＳＴ２８へ移行する。
【００５８】
ステップＳＴ２６で許可の場合にコード１５０に設定されている値から手差しガイド４２からの給紙のみオートカセットチェンジ禁止か否かを判断し（ＳＴ２７）、禁止の場合にステップＳＴ２８へ移行し、許可の場合にオートカセットチェンジ禁止フラグをＲＡＭ１０４内の揮発部１０４ｂにリセットする（ＳＴ３０）。
【００５９】
メインＣＰＵ１００は、上記判断でステップＳＴ２８に移行した際、給紙段及びカセット切り換え先がオートカセットチェンジ禁止段と等しいか否かを判断し、等しい場合にオートカセットチェンジ禁止フラグをＲＡＭ１０４内の揮発部１０４ｂにセットする（ＳＴ２９）。
【００６０】
また、ステップＳＴ２１の判断で禁止の場合、メインＣＰＵ１００は、オートカセットチェンジ禁止フラグをＲＡＭ１０４内の揮発部１０４ｂにセットする（ＳＴ３１）。
【００６１】
これで、ステップＳＴ８またはステップＳＴ９が終了した際、メインＣＰＵ１００は、コントロールパネル１２０の操作で設定されたコピー動作を行い（ＳＴ１０）、設定枚数分コピーが完了した場合（ＳＴ１１）、終了する。
【００６２】
また、枚数分コピーが完了しないで（ＳＴ１１）、枚数分コピー未完了で当該給紙段の紙無しが発生した場合（ＳＴ１２）、メインＣＰＵ１００は、ＲＡＭ１０４内の揮発部１０４ｂに記憶されているオートカセットチェンジ禁止フラグがセットされているか（データ値＝１）、リセットされているか（データ値＝０）をチェックする（ＳＴ１３）。
【００６３】
ステップＳＴ１３においてメインＣＰＵ１００は、データ値が「０」の場合は給紙段のカセット（同じ用紙サイズ）を切り替え（ＳＴ１５）、ステップＳＴ１０へ移行してコピー動作を続け、データ値が「１」の場合はメッセージ表示部１２１に用紙切れのメッセージを表示し（ＳＴ１４）、当該給紙段に用紙が補給されるまで動作を終了（停止）とする。
【００６４】
以上説明したように上記発明の実施の形態によれば、給紙段毎にオートカセットチェンジ機能の有無が選択でき、メッセージでのユーザによるオートカセットチェンジ機能有無の選択が可能であり、また、オートカセットチェンジ機能が不要であると考えられるコピーモードでは自動的に手差しのオートカセットチェンジ機能を禁止でき、ミスコピーの低減に大きな効果をもたらすことができる。
【符号の説明】
【００６５】
１…電子複写機、２…スキャナ、３…プリンタ、９０…多段給紙装置、１００…メインＣＰＵ、１０２…ＲＯＭ、１０４…ＲＡＭ、１２０…コントロールパネル、１２１…メッセージ表示部、１２３…イエスキー、１２４…ノーキー、１２５…スタートキー、２００…多段給紙ＣＰＵ、３００…エンジンＣＰＵ。
【図１】
0004538078.tif 000002
【図２】
0004538078.tif 000003
【図３】
0004538078.tif 000004
【図４】
0004538078.tif 000005
【図５】
0004538078.tif 000006
【図６】
0004538078.tif 000007
【図７】
0004538078.tif 000008